(57)【要約】【課題】【解決手段】フィルム現像サービスに対する消費者の忠実さを促進するカメラ１０及び方法が提供される。フィルム蓋ラッチ１４を有するプロモーションカメラ１０が消費者に提供される。フィルム蓋ラッチ１４は、消費者に利用可能であるが、接着剤ラベル等のような制止機構３１によりアクセス不能とされる。フィルムを露出させる毎に、フィルム前進ホイール１８が単一のフィルムコマを当初のフィルムカートリッジ内に巻き戻す。全ての写真を撮った後、消費者は巻き戻したフィルムに手を加えずにカメラ１０を販売店に返却する。販売店は制止機構３１を除去し、カメラ１０を開け、フィルムカートリッジを除去し、フィルムカートリッジを未露出のフィルムカートリッジと交換し、フィルムをフィルムスプールに予め巻き、制止機構３１を変位させ且つ予め装填されたカメラ１０を消費者に返す。
2005518568.tif 000002
【特許請求の範囲】
【請求項１】
プロモーションカメラを使用する方法において、
（ａ）プロモーションカメラを販売店から購入するステップと、
（ｂ）該プロモーションカメラにて写真を撮るステップと、
（ｃ）該プロモーションカメラを関連する販売店に返却するステップと、
（ｄ）注文すべきフィルム現像サービスを選ぶステップと、
（ｅ）前記プロモーションカメラを販売店の店員に提供するステップと、
（ｆ）前記プロモーションカメラの外部ハウジングに設けられた制止機構を動かして、その少なくとも一部分が前記プロモーションカメラの外部ハウジングを貫通して伸びるフィルム蓋トリガラッチを露出させるステップと、
（ｇ）前記プロモーションカメラを開ける工具無しにて前記フィルム蓋トリガラッチを作用させるステップと、
（ｈ）ステップ（ｄ）にて行われるべき現像サービスを選んだ、露出し且つ、巻き戻したフィルムカートリッジを除去するステップと、
（ｉ）未露出のフィルムカートリッジを前記プロモーションカメラ内に装填するステップと、
（ｊ）前記プロモーションカメラを閉じるステップと、
（ｋ）前記フィルム蓋トリガにて前記プロモーションカメラの外部ハウジングの制止機構を置き換えるステップと、
（ｌ）前記プロモーションカメラをユーザに無料にて返すステップとを備える、プロモーションカメラを使用する方法。
【請求項２】
請求項１の方法において、
ステップ（ｆ）−（ｌ）が販売店の店員により行われるようにした、方法。
【請求項３】
請求項２の方法において、
前記制止機構が、接着剤を使用して前記フィルム蓋トリガに固定される、方法。
【請求項４】
請求項３の方法において、
前記制止機構が、基本的に接着剤ラベルから成る、方法。
【請求項５】
プロモーションカメラにおいて、
外部ハウジングと、
該外部ハウジングと係合したフィルム蓋と、
第一の掛止位置にて前記フィルム蓋を前記外部ハウジングに遮光係合状態で固定し且つ、第二の掛止位置にあるとき、前記フィルム蓋が開くのを許容するフィルム蓋ラッチとを備え、
該フイルム蓋ラッチが、その少なくとも一部分が前記外部ハウジングを貫通するフィルム蓋トリガを有し、
前記フィルム蓋トリガをカメラの外部から作用させることにより前記ラッチが前記第一の掛止位置から前記第二の掛止位置まで動くようにし、
前記フィルム蓋トリガ上方にて前記外部ハウジングに配置され、前記フィルム蓋トリガにユーザがアクセスし得ないようにする制止機構を備え、
前記制止機構及び前記フィルム蓋トリガの少なくとも一方が、前記フィルム蓋トリガにアクセスするための工具無しにて可動である、プロモーションカメラ。
【請求項６】
請求項５のプロモーションカメラにおいて、
前記制止機構及び前記フィルム蓋トリガの双方が、前記フィルム蓋トリガにアクセスするための工具無しにて可動である、プロモーションカメラ。
【請求項７】
請求項６のプロモーションカメラにおいて、
フィルム予巻きクランク組立体と、フィルムスプールとを更に有し、
前記フィルム予巻きクランク組立体が、前記フィルムスプールと連通して前記フィルムを前記空のフィルムスプールに予め巻くようにした、プロモーションカメラ。
【請求項８】
請求項６のプロモーションカメラにおいて、
前記制止機構が、接着剤を使用して前記フィルム蓋トリガに固定される、プロモーションカメラ。
【請求項９】
請求項８のプロモーションカメラにおいて、
前記制止機構が、基本的に接着剤ラベルから成る、プロモーションカメラ。
【請求項１０】
請求項９のプロモーションカメラにおいて、
前記接着剤ラベルが、前記フィルム蓋トリガを見えないように隠す、プロモーションカメラ。
【請求項１１】
販売店にて顧客に対しフィルム処理サービスを提供する方法において、
（ａ）プロモーションカメラであって、フィルムカートリッジからのフィルムが予め装填され、前記フィルム蓋ラッチ引トリガに消費者がアクセスすることができないようにすべくフィルム蓋ラッチトリガに配置された制止機構を更に有し、該制止機構及び前記フィルム蓋ラッチトリガの少なくとも一方が、工具無しにて可動であるようにした前記プロモーションカメラを提供するステップと、
（ｂ）該プロモーションカメラにて写真を撮るステップと、
（ｃ）前記プロモーションカメラを販売店に返却するステップと、
（ｄ）前記制止機構を動かして前記フィルム蓋ラッチトリガにアクセスするステップと、
（ｅ）前記フィルム蓋ラッチトリガを作用させて前記フィルム蓋を開けるステップと、
（ｆ）使用済みのフィルムカートリッジを除去するステップと、
（ｇ）未露出のフィルムカートリッジを前記プロモーションカメラ内に配置するステップと、
（ｈ）ステップ（ｇ）の後、前記フィルム蓋を閉じるステップと、
（ｉ）ステップ（ｈ）の後、前記未露出のフィルムの大部分を前記カメラ内のフィルムスプールに予め巻くステップと、
（ｊ）ステップ（ｈ）の後、制止機構を前記フィルム蓋ラッチトリガに配置するステップと、
（ｋ）少なくともステップ（ｃ）の後、予め巻き、予め装填されたプロモーションカメラを顧客に返すステップとを備える、販売店にて顧客に対しフィルム処理サービスを提供する方法。
【請求項１２】
請求項１１の方法において、
ステップ（ａ）及び（ｄ）−（ｋ）が顧客によって行われないようにした、方法。
【請求項１３】
請求項１２の方法において、
ステップ（ｉ）にて消費者に返される前記プロモーションカメラが、ステップ（ｂ）にて消費者により返却されたプロモーションカメラと同一のカメラである、方法。
【請求項１４】
請求項１３の方法において、
ステップ（ｃ）の後、前記カメラ内の電池を交換するステップを備える、方法。
【請求項１５】
請求項１１の方法において、
前記フィルム蓋ラッチトリガの少なくとも一部分が、前記プロモーションカメラの外部ハウジングを貫通する、方法。
【請求項１６】
請求項１１の方法において、
ステップ（ａ）の前、前記プロモーションカメラを消費者に販売するステップを更に備える、方法。
【請求項１７】
請求項１１の方法において、
前記制止機構が接着剤を使用して前記フィルム蓋トリガに固定される、方法。
【請求項１８】
請求項１７の方法において、
前記制止機構が基本的に接着剤ラベルから成る、方法。
【請求項１９】
請求項１８の方法において、
前記制止機構が前記トリガラッチを見えないように隠す、方法。
【請求項２０】
請求項１１の方法において、
前記制止機構及び前記フィルム蓋トリガの双方が工具無しにて可動である、方法。
【発明の詳細な説明】
【技術分野】
【０００１】
本発明は、カメラの分野に関し、より具体的には、フィルム現像サービスを選ぶときの消費者の忠実さを促進するカメラに関する。
【背景技術】
【０００２】
消費者がフィルム現像サービスのため特定の店に返却することを督励すべく多数の装置が開発されている。過去、かかる忠実さ促進プログラムは、その店で現像されているフィルムと交換して無料の交換フィルムを提供している。次に、ユーザは、ユーザ自身が選んだカメラにその無料のフィルムを装填していた。
【０００３】
フロリダ州、ボカラトンのフォーエバーカメラカンパニー（Ｆｏｒｅｖｅｒ  Ｃａｍｅｒａ  Ｃｏ．）は、フィルム及び電池が予め装填された状態にて販売される再充填可能、再使用可能な３５ｍｍカメラを発表している。顧客がカメラを「フォーエバーカメラ」の販売店から購入したとき、その購入者は、自動的にフォーエバーカメラクラブの会員になる。会員として、顧客は、カメラを現像のためラボ店に戻す毎に、無料のフィルム及び電池を受け取る資格が得られる。フォーエバーカメラは、顧客に対して現像のためフォーエバーカメラクラブの店に戻すインセンティブを提供するが、顧客がフィルムを再装填し、又は現像のため別の販売店にフィルムを戻す気を失わせるようにすることは何ら行っていない。フォーエバーカメラは、通常形態とされた３５ｍｍカメラ以上のものではない。
【０００４】
クローチャ（Ｃｌｏｕｔｉｅｒ）及びクローチャらに対して発行され、コダックカンパニー（Ｋｏｄａｋ  Ｃｏｍｐａｎｙ）に譲渡された米国特許第５，７０８，８５６号及び米国特許第５，７５２，０８５号は、完全に露出させた後、顧客が再使用することを制止する係止装置を備えるレンタルカメラに関するものである。クローチャらの米国特許第５，７５２，０８５号には、キー及びキー穴装置を有する係止装置を含むレンタルカメラが開示されている。クローチャの米国特許第５，７０８，８５６号は、回り止めねじ装置を有している。クローチャの双方の特許には、顧客が写真を撮るために使用し且つ、フィルム蓋を係止解除し且つ、露出したフィルムを除去し、新しいフィルムと交換するようにするためレンタル店に返却するレンタルカメラが開示されている。
【０００５】
当該譲受人により忠実さカメラ及び装置が提供されており、ここでは、フィルム蓋を開け且つ、フィルムカートリッジを除去するため特殊なキー又は工具を必要とするカメラが販売される。露出済みのフィルムを保持するカメラは、フィルム蓋を開け且つフィルムカートリッジを除去するために使用される特殊なキー工具を専用的に有するところの、カメラを購入した販売店に返却しなければならない。更に、このシステムにおいて、カメラを顧客に返す前に、未露出の３５ｍｍフィルムを使用のためフィルムスプールに予め巻き取る特殊なキー工具が更に必要とされている。
【０００６】
しかし、係止機構を有するカメラは、カメラのコストを増す追加的な部品（すなわち、係止機構）及び置き忘れたり紛失することがある、機構を係止解除する特殊な工具を必要とする。フォーエバーカメラの着想は、フィルムの除去を制止するものを全く備えていない。
【０００７】
顧客がフィルムを除去し且つ交換し、また、カメラ及びフィルムカートリッジを現像のため別の販売店に持っていくことを制止するが、物理的に禁止するものではないものを提供するカメラ及びシステムが必要とされている。ユーザの忠実さを促進する低廉なカメラが更に必要とされている。これらの目的及びその他の目的は、本発明によって満足される。
【発明の開示】
【０００８】
フィルム現像サービスのため顧客の忠実さを促進するカメラ及び方法が提供される。フィルム蓋ラッチを含むプロモーションカメラが顧客に提供される。顧客はカメラの外部本体にてフィルム蓋を開けるためのラッチが利用可能であるが、このラッチは、係止機構ではなくて、接着剤ラベル等のような制止機構によりアクセス不能とされる。使用する前に、フィルムをフィルムスプールに予め巻くことを含むサービスのため、プロモーションカメラは、販売店に返却される。使用時、フィルムを露出させる毎に、フィルム前進ホイールを使用してフィルムの１つのコマを当初のフィルムカートリッジ内に巻き戻す。全ての写真を撮った後、顧客はフィルムが巻き戻されたカメラを手を加えずに販売店に返却する。販売店は、制止機構を除去し、カメラを開け、フィルムカートリッジを除去し、フィルムカートリッジを未露出のフィルムカートリッジと交換し、フィルムをフィルムスプールに予め巻き、制止機構を交換し且つ、これで予め装填された状態となったカメラを顧客に返す。
【０００９】
フラッシュを含む１つの実施の形態において、販売店は、カメラの電池を更に試験し且つ（又は）交換する。
本発明の上記及びその他の目的並びに有利な効果は、以下の説明から容易に明らかになるであろう。
【００１０】
上記の開示及び好ましい実施の形態の以下の詳細な説明は、添付図面と共に読んだとき、一層良く理解される。本発明を説明する目的のため、現在好ましいものである、一例としての実施の形態が図面に示されていが、本発明は開示された特定の方法及び具体例にのみ限定されるものではないことが理解される。更に、図面の全体を通じて同様の物品は同様の参照番号で示す。
【好ましい実施の形態の詳細な説明】
【００１１】
本発明の開示された実施の形態を詳細に説明する前に、本発明は、その他の実施の形態が可能であるから、その用途は。図示した特定の実施の形態の詳細にのみ限定されるものではないことを理解すべきである。また、本明細書にて使用した用語は、説明のためであり且つ、限定的なものではない。
【００１２】
本発明は、プロモーションカメラ及び販売店でのフィルム現像忠実化プログラムにて該プロモーションカメラを使用する方法に関する。カメラの物理的形態及び包装は、顧客が自分でフィルムをカメラに再装填する気を失わせるが、そのことを禁止するものではない。本発明の忠実さシステムは、顧客に対しそのカメラを購入した販売店にフィルム現像のためそのカメラを返却する更なるインセンティブを与える。
【００１３】
先ず、図１ないし図８を参照すると、カメラ１０は、前側部分１２ａ及びフィルム蓋１２ｂを有する外部ハウジング１１を備えている。前側部分１２ａ及びフィルム蓋１２ｂは、ハウジング１１の製造を容易にし得るように２つの別個の部品で出来ている。しかし、ハウジングは任意の数の部品から成るものとしてもよいことを理解すべきである。更に、前側部分１２ａ及びフィルム蓋１２ｂの外面は、それぞれ、所望であれば、より把持し易くし且つ、より人間工学的で審美的に好ましいデザインを提供し得るような湾曲した形態を持たせることができる。好ましい実施の形態において、ハウジング１１は、軽量で、しかも堅牢なプラスチック材料で出来ているが、これと代替的に、合金材料、金属材料又は任意のその他の適宜な材料で出来たものとしてもよい。
【００１４】
ハウジング１１の前側部分１２ａは、相応するフィルム蓋１２ｂと接続可能に係合し得るようにされている。２つの半体は、互いに組み立てたとき、実質的に遮光の接続部を形成する。更に、フィルム蓋１２ｂは、ヒンジ２５により前側部分１２ａと回動可能に係合している。１対の掛止部材２６がフィルム蓋１２ｂに一体に形成されており且つ、内部の摺動ラッチ１４と係合する。摺動ラッチ１４を作用させると、掛止部材は解放されてフィルム蓋１２ｂがヒンジ２５にて旋回して開放することを許容する。外部ハウジング１１の開口を貫通して伸びる摺動ラッチ１４のトリガ部分１４ａは、フィルム蓋１２ｂを開けるために作用させる。
【００１５】
更に、カメラ１０は、カメラ１０の前側部分１２ａから見えるフラッシュ組立体１６を有している。該フラッシュ組立体１６は、カメラ本体に形成された電池室内に配置した１．５Ｖ  ＡＡ電池のような、電源によって給電される。
【００１６】
トリガボタン１３には、ハウジング１１の最上面１２ｃに配置された開口部を通じてアクセスできる。フィルム前進ホイール１８がカメラ１０のフィルム蓋１２ｂを貫通して伸びている。カメラ１０のフィルム前進ホイール１８は、実際にフィルムを当初のフィルムカートリッジ内に巻き戻す作用を果たす（フィルムは、使用前、カメラ内のフィルムスプールに予め巻かれている）。
【００１７】
更に、フィルム露出カウンタ２０は、最上面１２ｃから見ることができる。フィルム露出カウンタ２０は、ユーザに対しカメラ内に残る未露出の写真の数を表示し、その数は、フィルムがフィルム前進ホイール１８により前進されるとき減分される。
【００１８】
使用前、フィルムをフィルム室のスペールに予め巻くため、カメラ１０の底面１２ｄにおけるフィルム予巻きクランク２２が使用される。電池室にアクセスするため、カメラ１０の底面１２ｄには、電池室の蓋２４が更に存在する。
【００１９】
カメラ１０の外部ハウジング１１の内部には、本体３０がある。該本体３０は、フィルム予巻きクランク組立体２２と係合したフィルム巻き取りリール２７を有している。クランク２２ａを回すと、これに相応してフィルム巻き取りリールが駆動される。該本体３０は、フィルムカートリッジチャンバ２８を更に有している。フィルム前進ホイールの指状部２９がフィルム前進ホイール１８の底面からフィルムカートリッジチャンバ２８内に伸びている。フィルムスプロケット２３が本体３０内に保持されており、フィルムカートリッジチャンバ２８からフィルム巻き取りリール２７まで伸びるフィルムと係合する。
【００２０】
最初に組み立てたとき、カメラ１０には、標準的な３５ｍｍフィルムカートリッジのようなフィルムカートリッジが予め装填されている。カートリッジからのフィルムリーダは、最初に、空のフィルム巻き取りリール２７と係合する（カメラ１０の本体３０におけるスプロケット２３及び露出シャッタ２１の上を通って）。フィルムの前縁がフィルム巻き取りリール２７と係合した後、カメラ蓋１２ｂを閉じて、フィルム予巻きクランク組立体２２のフィルムクランク２２ａを使用してフィルムを空のフィルムスプールに予め巻く。また、電池を電池室蓋２４を通じて電池室内に配置する。このように、ユーザは、フィルムが予め装填され、予め巻かれ且つ、電池が電池室内にある状態でプロモーションカメラ１０を購入する。
【００２１】
ユーザがフィルム蓋を開けて使用済みのフィルムカートリッジを除去し且つ、そのフィルムカートリッジを処理するため別の店に持っていくのを制止するため、制止機構が設けられている。次に、図９を参照すると、摺動ラッチトリガ１４ａ上に配置され、これによりユーザが引金ラッチ１４ａを作動させてカメラの蓋１４ｂを開けるのを制止する制止機構３１を有するカメラ１０の側面図が図示されている。図９の制止機構３１は、カメラのトリガ開口部に配置されたステッカ又は接着剤ラベルである。好ましくは、弱い接着剤が使用されるようにする。ステッカ又はラベルは、「カメラを開けないこと」又は「ステッカを除去したならば無効」といったような、禁止的な警告文を印刷し又は添付することができる。ラッチトリガ１４ａを下方へ作動させるのを阻止する、プラスチック、ゴム又はワックスプラグ、及び（又は）ラッチトリガ１４ａ上にスナップ止めし又は摺動するプラスチック又はゴム製のアクセス蓋のような、ユーザがラッチ１４ａにアクセスする気を失わせるその他の手段を使用することができる。本明細書に開示した方法は、ユーザに対しフィルム蓋を開けるのを阻止する制止措置を提供するものであるが、これら方法の何れも、実際に、フィルム蓋ラッチにアクセスし且つ（又は）フィルム蓋を開けるため実際のキー又は工具を必要とする従来技術の装置の場合のように、ユーザがフィルム蓋を開けるのを実際に禁止するものではない。本明細書に記載した方法の何れもフィルム蓋のラッチトリガにアクセスするためユーザの指の爪以外のものを必要とするものはない。本明細書にて説明するとき、「工具無しにて」という表現は、ユーザの手のみを使用し、その他の外部の工具又はキーの助けを受けないで、制止機構を容易に除去することを意味する。本発明の制止機構は、物理的なものではあるが、大部分、心理学的なものである。更に、好ましい実施の形態において、制止機構３１は、ラッチトリガ１４ａを顧客から見えないように隠し、ユーザがラッチを作用させるのを更に制止する。
【００２２】
追加的な制止措置として、当該実施の形態のプロモーションカメラ１０は、従来の３５ｍｍカメラと同一の仕方にて装填されない。フィルムは、使用後に巻き戻すのではなくて、使用前に、予め巻かなければならない。
【００２３】
更に、本発明のプロモーションカメラを販売する販売店は、ユーザに対しフィルムを現像のため販売店に返却するインセンティブ（すなわち、無料のフィルム、電池及びカメラのサービス）を与えることができる。こうしたインセンティブは、ユーザがフィルムを処理のため他の店に持っていくことに対する上記の制止措置に追加されるものである。
【００２４】
次に、図１０Ａないし図１０Ｂ及び図１１Ａないし図１１Ｃを参照すると、前側部分１１２ａ及び後側部分１１２ｂを有する外部ハウジングを備え、後側部分がヒンジ１２５により後側部分と回動可能に係合したフィルム蓋１１３を有する、別の設計によるプロモーションカメラ１００が図示されている。フィルム蓋１１３は、カメラハウジング内でラッチによりしっかりと閉じられており、該ラッチ１１４は、外部ハウジングの後側部分１１２ｂを貫通して伸びている。同様に、フィルム前進ホイール１１８は、後側部分１１２ｂを貫通して更に伸びている。カメラ１００の周りに嵌まり且つ、それ自体に又はカメラに接着してカメラ１００の外部ハウジングの周りにスリーブ１５０´を形成する寸法とされた制止機構１５０が設けられる。該制止機構１５０は、スリーブ１５０´を除去しなければ、カメラのユーザがフィルム蓋ラッチにアクセスし得ないような設計とされている。更に、該制止機構１５０は、ラッチトリガ１１４を顧客から見えないように隠す。上述した実施の形態の場合と同様に、制止機構１５０はキー又は工具を使用せずに除去可能であることを認識すべきである。スリーブ１５０´は、ユーザが所望であれば、指の爪のみを使用して除去することができる。
【００２５】
当該実施の形態の制止機構１５０は、紙、板紙、プラスチックの薄板又は所望に応じて何らかのその他の材料にて形成することができる。制止機構１５０は、ビューファインダレンズ用の開口部１５１、１５５と、撮影レンズを保持するハウジング１１２ａの部分がスリーブ１５０´を貫通するのを許容する開口部１５３とを有している。更に、板紙又はプラスチックで出来ている場合、制止機構１５０は、線１５２にて予め目打ちし、スリーブ１５０´を形成し得るように制止機構１５０を容易に折り畳むことができるようにする。接着剤片１５８を設けて制止機構１５０がそれ自体に又はカメラに接着してスリーブを形成するのを許容することができる。これと代替的に、制止機構１５０の内面全体を接着剤にて被覆し、また、制止機構１５０をステッカ又は接着剤ラベルとしてカメラの外部ハウジング上に取り付けてもよい。更に、禁止的な文章１５９を制止機構１５０に印刷することができる。
【００２６】
次に、図１１Ｃを具体的に参照すると、当該実施の形態の制止機構１５０の１つの有利な効果は、スリーブ１５０´によりカメラのユーザが電池室蓋１２４に更にアクセスし得ないようにすることができる点である。選択的に、スリーブ１５０´は、同様に、ユーザが予巻きクランク１２２にアクセスし得ないようにする寸法とされている。
【００２７】
次に、図１２を参照すると、図１ないし図８のカメラ１０のような、プロモーションカメラを使用してフィルム現像サービスに対するユーザの忠実さプログラムを促進する方法３０のフロー図が示されている。上述したように、ユーザは、カメラを参加する販売店から購入する。カメラは、購入することができる、すなわち販売店は、カメラの価格を補助して、忠実さ及び顧客によるその後のリピート買いを確保することができる。カメラは、最初に、フィルムが予め装填した状態でユーザに提供され、フィルムは、当初のフィルムカートリッジ外に且つ、カメラに取り付けたフィルムスプールに予め巻かれている。更に、フラッシュを有するプロモーションカメラの場合、電池がカメラの電池室内に予め装填されている。図９の制止機構ラベル２８のような、制止機構がフィルム蓋ラッチトリガ（図８の参照番号１４ａ）に設けられる。ステップ３２。
【００２８】
次に、ユーザは、プロモーションカメラにて写真を撮る。露出する毎に、単一のフィルムコマを最初のフィルムカートリッジ内に巻き戻すフィルム前進ホイール（図４の参照番号１８）を前進させる。ステップ３４。
【００２９】
ユーザがカメラにて写真を撮り終えた後、ユーザはカメラをそのカメラを最初に購入した販売店と同一型式の販売店に返却する。ステップ３６。これと代替的に、ユーザは、特定のオッファに参加する任意の販売店にカメラを返却してもよい。
【００３０】
販売店の店員は、制止機構を除去してフィルム蓋のラッチを露出させ且つ、フィルム蓋を開ける。ステップ３８。販売店の店員は、それ以前に巻き戻したフィルムカートリッジを除去し且つ、そのカートリッジを新しいフィルムカートリッジと交換する。次に、販売店の店員は、ユーザのためフィルムを予め巻き、これによりユーザが未露出フィルムを予め巻くか又は露出済みのフィルムロールの全体を１回で巻き戻す（従来の３５ｍｍカメラで行われているように）面倒さを省く。更に、フラッシュを有するモデルの場合、販売店の店員は、電池を試験し且つ（又は）交換することができる。ステップ４０。
【００３１】
販売店の店員は、次に、フィルム蓋を閉じ且つ、制止機構をフィルム蓋ラッチに配置する。ステップ４２。販売店の店員は、予め装填し、予め巻いたカメラをユーザに返却する。ステップ４４。最も好ましい実施の形態において、販売店は、ユーザに対し、ユーザが販売店に返却したのと同じカメラを提供する。別の実施の形態において、販売店は、ユーザに対し、予め装填し、予め巻いた等価的なカメラ、すなわち、異なるユーザが返却し、その日に先にサービスを受けたカメラを提供し、ユーザが自分自身のカメラがサービスを受けるのを待つ必要がないようにする。
【００３２】
このように、本発明の方法及びプロモーションカメラによれば、販売店の店員がユーザに対しカメラが完全にサービスを受けられるという利便性を提供する。プロモーションカメラの制止機構及び予め巻く必要性は、ユーザに対しカメラを自分自身で又は別の販売店にて再装填し又はサービスを受けようとすることに対する心理的な制止物を提供することになる。更に、フィルム及び電池は、販売店が無料にて提供し、ユーザに対し販売店に返却する更なるインセンティブを提供することができる。一方、販売店は顧客の忠実さ及び顧客のフィルム現像の仕事を得ることができ、また、顧客を販売店に戻して、フィルムを預け又は受け取るときに訪問するとき及び（又は）カメラがサービスを受けるのを待つ間、販売店が提供するその他の製品及びサービスを買い求めたり、いろいろと折衝したりすることができる。
【００３３】
特定の実施の形態に関して本発明を説明したが、当該技術分野の当業者には、本発明の範囲から逸脱せずに、各種の変更を加え且つ、それらの要素に代えて等価物を使用することができることが理解されよう。更に、その必須の範囲から逸脱せずに、特定の状況又は材料を本発明の教示に適応させるため多くの改変を為すことが可能である。このため、本発明を実施する最良の形態と考えられる特定の実施の形態にのみ本発明を限定するものではなく、本発明は、特許請求の範囲に属する全ての実施の形態を包含することを意図するものである。
【図面の簡単な説明】
【００３４】
【図１】本発明と共に使用される一例としてのカメラの正面図である。
【図２】図１のカメラの正面頂面右側斜視図である。
【図３】図１のカメラの縮小頂面図である。
【図４】図１のカメラの縮小背面図である。
【図５】図１のカメラの縮小左側面図である。
【図６】図１のカメラの縮小右側面図である。
【図７】図１のカメラの縮小底面図である。
【図８】フィルム蓋が開いた、図１のカメラの内部裏側の後方斜視図である。
【図９】接着剤ラベルがフィルム蓋を開けるためラッチにアクセスすることを制限する、本発明の１つの実施の形態によるカメラの左側面図である。
【図１０Ａ】１０Ａは、本発明の別の実施の形態によるカメラ及び１つの特定の制止機構を示す正面図である。
【図１０Ｂ】１０Ｂは、本発明の別の実施の形態によるカメラ及び１つの特定の制止機構を示す背面図である。
【図１１Ａ】１１Ａは、本発明の１つの特定の実施の形態による制止機構と組み合わせた、図９Ａのカメラの正面図である。
【図１１Ｂ】１１Ｂは、本発明の１つの特定の実施の形態による制止機構と組み合わせた、図９Ｂのカメラの背面図である。
【図１１Ｃ】１１Ｃは、本発明の１つの特定の実施の形態による制止機構と組み合わせたカメラの底面図である。
【図１２】本発明の１つの実施の形態に従ってプロモーションカメラを使用する方法のフロー図である。
【図１】
2005518568.tif 000003
【図２】
2005518568.tif 000004
【図３】
2005518568.tif 000005
【図４】
2005518568.tif 000006
【図５】
2005518568.tif 000007
【図６】
2005518568.tif 000008
【図７】
2005518568.tif 000009
【図８】
2005518568.tif 000010
【図９】
2005518568.tif 000011
【図１０Ａ】
2005518568.tif 000012
【図１０Ｂ】
2005518568.tif 000013
【図１１Ａ】
2005518568.tif 000014
【図１１Ｂ】
2005518568.tif 000015
【図１１Ｃ】
2005518568.tif 000016
【図１２】
2005518568.tif 000017
【手続補正書】
【提出日】平成16年10月27日(2004.10.27)
【手続補正１】
【補正対象書類名】特許請求の範囲
【補正対象項目名】全文
【補正方法】変更
【補正の内容】
【特許請求の範囲】
【請求項１】
プロモーションカメラを使用する方法において、
（ａ）プロモーションカメラ（ｐｒｏｍｏｔｉｏｎａｌ  ｃａｍｅｒａ）であって、一端にてヒンジにより及び第二の端部である他端にて摺動可能なフィルム蓋トリガラッチにより該プロモーションカメラに固定されたフィルム蓋を有し、前記フィルム蓋トリガラッチに配置された制止機構（ｄｅｔｅｒｒｅｎｔ  ｍｅｃｈａｎｉｓｍ）を有する前記プロモーションカメラを販売店から受け取るステップと、
（ｂ）該プロモーションカメラにて写真を撮るステップと、
（ｃ）該プロモーションカメラを関連する販売店に返却するステップと、
（ｄ）注文すべきフィルム現像サービスを選ぶステップと、
（ｅ）前記プロモーションカメラを販売店の店員に提供するステップと、
（ｆ）前記プロモーションカメラの外部ハウジングに設けられた前記制止機構を動かして、その少なくとも一部分が前記プロモーションカメラの外部ハウジングを貫通して伸びる前記フィルム蓋トリガラッチを露出させるステップと、
（ｇ）前記プロモーションカメラを開ける工具無しにて前記フィルム蓋トリガラッチを作用させるステップと、
（ｈ）ステップ（ｄ）にて行われるべき現像サービスを選んだ、露出し且つ、巻き戻したフィルムカートリッジを除去するステップと、
（ｉ）未露出のフィルムカートリッジを前記プロモーションカメラ内に装填するステップと、
（ｊ）前記プロモーションカメラを閉じるステップと、
（ｋ）前記フィルム蓋トリガにて前記プロモーションカメラの外部ハウジングにおける制止機構を変位させるステップと、
（ｌ）前記プロモーションカメラをユーザに無料にて返すステップと、
ステップ（ｆ）−（ｌ）が販売店の店員により行われるようにした、プロモーションカメラを使用する方法。
【請求項２】
請求項１の方法において、
前記制止機構が、接着剤を使用して前記フィルム蓋トリガラッチ上に固定される、方法。
【請求項３】
請求項２の方法において、
前記制止機構が、基本的に接着剤ラベルから成る、方法。
【請求項４】
販売店にて顧客に対しフィルム処理サービスを提供する方法において、
（ａ）フィルムカートリッジからのフィルムが予め装填されたプロモーションカメラを提供するステップであって、前記フィルムカートリッジにアクセスするためのフィルム蓋であって、一端にてヒンジにより及び他端にて摺動可能なフィルム蓋ラッチトリガにより前記プロモーションカメラに固定された前記フィルム蓋を更に有し、前記フィルム蓋ラッチトリガに消費者がアクセスすることができないようにすべく前記フィルム蓋ラッチトリガに配置された制止機構を更に有し、該制止機構及び前記フィルム蓋ラッチトリガが工具無しにて可動であるようにした前記プロモーションカメラを提供するステップと、
（ｂ）該プロモーションカメラにて写真を撮るステップと、
（ｃ）前記プロモーションカメラを販売店に返却するステップと、
（ｄ）前記制止機構を動かして前記フィルム蓋ラッチトリガにアクセスするステップと、
（ｅ）前記フィルム蓋ラッチトリガを作用させ前記フィルム蓋を開けるステップと、
（ｆ）使用済みのフィルムカートリッジを除去するステップと、
（ｇ）未露出のフィルムカートリッジを前記プロモーションカメラ内に配置するステップと、
（ｈ）ステップ（ｇ）の後、前記フィルム蓋を閉じるステップと、
（ｉ）ステップ（ｈ）の後、前記未露出のフィルムの大部分を前記カメラ内のフィルムスプール上に予め巻くステップと、
（ｊ）ステップ（ｈ）の後、制止機構を前記フィルム蓋ラッチトリガ上に配置するステップと、
（ｋ）少なくともステップ（ｃ）の後、予め巻き、予め装填されたプロモーションカメラを顧客に返すステップと、
ステップ（ａ）、（ｄ）−（ｋ）が販売店の店員により行われるようにした、販売店にて顧客に対しフィルム処理サービスを提供する方法。
【請求項５】
請求項４の方法において、
ステップ（ｉ）にて消費者に返される前記プロモーションカメラが、ステップ（ｃ）にて消費者により返却されたプロモーションカメラと同一のカメラである、方法。
【請求項６】
請求項５の方法において、
ステップ（ｃ）の後、前記カメラ内の電池を交換するステップを備える、方法。
【請求項７】
請求項４の方法において、
前記フィルム蓋ラッチトリガの少なくとも一部分が前記プロモーションカメラの外部ハウジングを貫通する、方法。
【請求項８】
請求項４の方法において、
ステップ（ａ）の前、前記プロモーションカメラを消費者に販売するステップを更に備える、方法。
【請求項９】
請求項４の方法において、
前記制止機構が接着剤を使用して前記フィルム蓋トリガに固定される、方法。
【請求項１０】
請求項９の方法において、
前記制止機構が基本的に接着剤ラベルから成る、方法。
【請求項１１】
請求項１０の方法において、
前記制止機構が前記トリガラッチを見えないように隠す、方法。
【国際調査報告】
2005518568.tif 000018
2005518568.tif 000019
2005518568.tif 000020